【手続補正書】
【提出日】平成19年8月14日(2007.8.14)
【手続補正１】
【補正対象書類名】明細書
【補正対象項目名】特許請求の範囲
【補正方法】変更
【補正の内容】
【特許請求の範囲】
【請求項１】
入力信号をクラス分けする方法であって、
入力信号を取得することと、
該入力信号の時間−周波数表現を決定することと、
該時間−周波数表現に存在する高調波を検出することと、
該高調波を検出することに応答して、スペクトログラムテンプレート整合を開始することと
を包含する、方法。
【請求項２】
前記スペクトグラムテンプレート整合は、
前記時間−周波数表現に対する第１の信号モデルにおいて整合スペクトログラムテンプレートを決定することと、
該整合スペクトログラムテンプレートに基づいて、該第１の信号モデルに前記入力信号を割り当てることと
を包含する、請求項１に記載の方法。
【請求項３】
前記高調波を検出することは、
走査する周波数範囲を決定することと、
該周波数範囲にわたって前記時間−周波数表現を走査することと、
該周波数範囲における局所ピークであって、ピーク閾値よりも大きく隣接したスペクトル値を超える局所ピークを識別することと、
該局所ピークに対する得票をカウントすることと
を包含する、請求項１に記載の方法。
【請求項４】
前記高調波を検出することは、
前記周波数範囲における高調波の期待数を用いて正規化得票比を決定することと、
該正規化得票比を高調波閾値と比較することと
をさらに包含する、請求項３に記載の方法。
【請求項５】
前記スペクトログラムテンプレート整合に対して第１の信号モデルを確立することと、
該第１の信号モデルをトレイニングすることと
をさらに包含する、請求項１に記載の方法。
【請求項６】
前記トレイニングすることは、
前記時間−周波数表現に基づいて、前記第１の信号モデルにおける新たなスペクトログラムテンプレートを作成することを包含する、請求項５に記載の方法。
【請求項７】
前記時間−周波数表現を前記整合スペクトログラムテンプレートに組み込むことによって、前記第１の信号モデルをトレイニングすることをさらに包含する、請求項２に記載の方法。
【請求項８】
前記組み込むことは、
前記整合スペクトログラムテンプレートに重みを適用することにより、重み付けられた整合スペクトログラムテンプレートを取得することと、
前記時間−周波数表現で該重み付けられた整合スペクトログラムテンプレートを平均化することと
を包含する、請求項７に記載の方法。
【請求項９】
音響信号クラス分けシステムであって、
該システムは、
プロセッサと、
該プロセッサに結合されたメモリと
を備え、
該メモリは、該プロセッサに、
入力信号を取得することと、
該入力信号の時間−周波数表現を決定することと、
該時間−周波数表現に存在する高調波を検出することと、
該高調波を検出することに応答して、スペクトログラムテンプレート整合を開始することと
を実行させるように作用可能な命令を備えている、システム。
【請求項１０】
前記命令は、前記プロセッサに、
前記時間−周波数表現に対する第１の信号モデルにおいて整合スペクトログラムテンプレートを決定することと、
該整合スペクトログラムテンプレートに基づいて、該第１の信号モデルに前記音響入力信号を割り当てることと
を実行させるようにさらに作用可能である、請求項９に記載のシステム。
【請求項１１】
前記命令は、前記プロセッサに、
走査する周波数範囲を決定することと、
該周波数範囲にわたって前記時間−周波数表現を走査することと、
該周波数範囲における局所ピークであって、ピーク閾値よりも大きく隣接したスペクトル値を超える局所ピークを識別することと、
該局所ピークに対する得票をカウントすることと
を実行させるようにさらに作用可能である、請求項９に記載のシステム。
【請求項１２】
前記プロセッサに高調波を検出させる命令は、該プロセッサに、
前記周波数範囲における高調波の期待数を用いて正規化得票比を決定することと、
該正規化得票比を高調波閾値と比較することと
を実行させるようにさらに作用可能である、請求項１１に記載のシステム。
【請求項１３】
前記メモリは、前記スペクトログラムテンプレート整合に対して用いられる第１の信号モデルをさらに備えており、
前記命令は、前記プロセッサに、該第１の信号モデルをトレイニングさせるようにさらに作用可能である、請求項９に記載のシステム。
【請求項１４】
前記命令は、前記プロセッサに、
前記時間−周波数表現に基づいて、前記信号モデルにおける新たなスペクトログラムテンプレートを作成することによって該第１の信号モデルをトレイニングさせるようにさらに作用可能である、請求項１３に記載のシステム。
【請求項１５】
前記命令は、前記プロセッサに、前記時間−周波数表現を前記整合スペクトログラムテンプレートに組み込むことによって、前記第１の信号モデルをトレイニングさせるようにさらに作用可能である、請求項１０に記載のシステム。
【請求項１６】
前記命令は、前記プロセッサに、
重み付けられた整合スペクトログラムテンプレートを生成することと、
該重み付けられた整合スペクトログラムテンプレートに前記時間−周波数表現を追加することにより、総和を取得することと、
該総和を平均して、調節されたテンプレートを取得することと
を実行させるようにさらに作用可能である、請求項１５に記載のシステム。
【請求項１７】
製品であって、
該製品は、
機械可読媒体と、
該機械可読媒体に格納された命令と
を備え、
該命令は、信号処理システム内のプロセッサに、
入力信号を取得することと、
該入力信号の時間−周波数表現を決定することと、
該時間−周波数表現に存在する高調波を検出することと、
該高調波を検出することに応答して、スペクトログラムテンプレート整合を開始することと
を実行させる、製品。
【請求項１８】
前記命令は、前記プロセッサに、
走査する周波数範囲を確立することと、
該周波数範囲にわたって前記時間−周波数表現を走査することと、
該周波数範囲における局所ピークであって、ピーク閾値よりも大きく隣接したスペクトル値を超える局所ピークを識別することと、
該局所ピークに対する得票をカウントすることと
を実行させるようにさらに作用可能である、請求項１７に記載の製品。
【請求項１９】
前記システムに高調波を検出させる命令は、該システムに、
前記周波数範囲における高調波の期待数を用いて正規化得票比を決定することと、
該正規化得票比を高調波閾値と比較することと
を実行させるようにさらに作用可能である、請求項１８に記載の製品。
【請求項２０】
前記スペクトログラムテンプレート整合は、第１の信号モデルを検索し、
前記命令は、前記時間−周波数表現に基づいて、該第１の信号モデルにおいて新たなスペクトログラムテンプレートを作成することによって、該第１の信号モデルをトレイニングさせるようにさらに作用可能である、請求項１７に記載の製品。
【請求項２１】
前記スペクトログラムテンプレート整合の結果、第１の信号モデルにおける整合スペクトログラムテンプレートが得られ、
前記命令は、前記システムに、
前記時間−周波数表現を前記整合スペクトログラムテンプレートに組み込むことによって、前記第１の信号モデルをトレイニングさせるようにさらに作用可能である、請求項２０に記載の製品。
【請求項２２】
前記命令は、前記システムに、
走査する周波数範囲を確立することと、
該周波数範囲にわたって前記時間−周波数表現を走査することと、
該周波数範囲における局所ピークであって、ピーク閾値よりも大きく隣接したスペクトル値を超える局所ピークを識別することと、
該局所ピークに対する得票をカウントすることと
を実行させるようにさらに作用可能である、請求項１７に記載の製品。
【請求項２３】
前記命令は、該システムに、
前記周波数範囲における高調波の期待数を用いて正規化得票比を決定することと、
該正規化得票比を高調波閾値と比較することと
を実行させるようにさらに作用可能である、請求項２２に記載の製品。
【手続補正２】
【補正対象書類名】明細書
【補正対象項目名】発明の名称
【補正方法】変更
【補正の内容】
【発明の名称】音源のクラス分け
【手続補正３】
【補正対象書類名】明細書
【補正対象項目名】００４５
【補正方法】変更
【補正の内容】
【００４５】
処理は、スタート処理状態で始まる（ステップ４０２）。入力信号サンプルの変換されたスペクトルは、ピークを「拾う」ために、ｆｍａｘの最大周波数までの周波数にわたって、局所ピークに対して走査される（ステップ４０４）。局所ピークは、Ｐ（ｆ−１）＜Ｐ（ｆ）＞Ｐ（ｆ＋１）の時、Ｐ（ｆ）で宣言される。周辺スペクトル値を閾値εを超える値だけ超えているピーク、すなわち、Ｐ（ｆ−１）＋ε＜Ｐ（ｆ）＞Ｐ（ｆ＋１）＋εであるｆが抽出される（ステップ４０６）。これらのピークのそれぞれは、基本周波数ｆ０のそれぞれに対して１つの「得票」を表している（ステップ４０８）。好ましい実施形態の推定値Ｖ０（ｆ０）はフロア（ｆｌｏｏｒ）（ｆｍａｘ／ｆ０）である。ｆ０のより低い値は、所定のｆｍａｘに対して、より高いｆ０よりも少ない高調波を有しているため、得票は、考えている周波数範囲において期待される高調波の数で正規化されるＶ０（ｆ０）（ステップ４１０）。比Ｖ（ｆ０）／Ｖ０（ｆ０）が閾値より大きい時（ステップ４１２）、高調波関係が存在していると宣言される。